【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
異常な周波数で異常な周期活動をしている脳のニューロンを刺激するための１つ以上の電極（２）および／またはチップと、
１つ以上の電極（２）および／またはチップに配置され、脳に対して電気的刺激信号を出力する少なくとも２つの接点１４と、
上記接点（１４）が高周波パルス列の低周波シーケンスを脳に対して出力するように該接点（１４）を駆動する制御器（４）とを備え、
各接点（１４）を介して印加される上記高周波パルス列の低周波シーケンスの周波数が、上記異常な周波数、または、その整数倍（ただし１０００倍未満）と略一致することを特徴とする装置。
【請求項２】
周期の持続期間がＴの異常な周期活動をしている脳のニューロンを刺激するための１つ以上の電極（２）および／またはチップと、
１つ以上の電極（２）および／またはチップに配置され、脳に対して電気的刺激信号を出力するｎ個の接点（１４）と、
上記接点１４が高周波パルス列の低周波シーケンスを脳に対して出力するように該接点１４を駆動する制御器（４）とを備え、
異なる接点（１４）によって印加される連続する２つの高周波パルス列の時間のずれが、Ｔ／ｎ±０．７５Ｔであることを特徴とする装置。
【請求項３】
上記異常な活動を検出するためのセンサ（３）を備えていること、および／または、
上記制御器（４）は、周波数が０．１Ｈｚ以上５０Ｈｚ以下の高周波パルス列の低周波シーケンスを生成する制御信号を出力すること、および／または、
上記制御器（４）は、持続時間が≧０μ秒以上３０００μ秒以下の単位パルスを含む高周波パルス列を生成する制御信号を出力するとともに、詳細には、電気的に略中性な単位パルスを生成し、かつ／あるいは、振幅が≧０Ｖ以上１６Ｖ以下の範囲内の複数の単位パルスを生成する制御信号を出力すること、および／または、
上記制御器（４）は、高周波短パルス列を生成する制御信号を出力するとともに、詳細には、２以上１００以下の単位パルスを含む高周波パルス列を生成し、かつ／あるいは、３以上１５以下の単位パルスを生成する制御信号を出力すること、および／または、
上記制御器（４）は、上記高周波パルス列の低周波連続の周期の３／４倍以下の長さの高周波パルス列を生成する制御信号を出力するとともに、詳細には、上記高周波パルス列の低周波連続の周期の１／１０倍以上１／４倍以下の長さの高周波パルス列を生成する制御信号を出力すること、および／または、
上記制御器（４）は、周波数が５０Ｈｚ以上２５０Ｈｚ以下の単位パルスを含む高周波パルス列を生成する制御信号を出力するとともに、詳細には、周波数が８０Ｈｚ以上１５０Ｈｚ以下の単位パルスを含む高周波パルス列を生成し、かつ、詳細には、周波数が１００Ｈｚ以上１４０Ｈｚ以下の単位パルスを含む高周波パルス列を生成すること、および／または、
上記制御器（４）は、電気的に中性でない異なる単位パルスを含む電気的に略中性な高周波パルス列を生成する制御信号を出力すること、を特徴とする請求項１または２に記載の装置。
【請求項４】
上記制御器（４）は、複数の単位パルスを生成する制御信号を出力し、高周波パルス列内の全ての単位パルスの振幅が等しいこと、または、
上記制御器（４）は、複数の単位パルスを生成する制御信号を出力し、高周波パルス列内の少なくとも２つの単位パルスの振幅が異なっていること、を特徴とする請求項１から３のいずれか１項に記載の装置。
【請求項５】
上記制御器（４）は、複数の単位パルスを生成する制御信号を出力し、高周波パルス列内の全ての単位パルスの持続時間が等しいこと、または、
上記制御器（４）は、単位パルスを生成する制御信号を出力し、高周波パルス列内の少なくとも２つの単位パルスの持続時間が異なっていること、を特徴とする請求項１から４のいずれか１項に記載の装置。
【請求項６】
上記制御器（４）は、振幅の大きさが０．００１Ｖ以上１６Ｖ以下程度で、詳細には２Ｖ以上７Ｖ以下程度の高周波パルス列を生成する制御信号を出力することを特徴とする請求項１から５のいずれか１項に記載の装置。
【請求項７】
上記制御器（４）は、周期が一定の複数の高周波パルス列を生成する制御信号を出力すること、または、
上記制御器（４）は、周期の異なる複数の高周波パルス列を生成する制御信号を出力し、詳細には、決定的アルゴリズムおよび／または確率的アルゴリズムおよび／または決定的確率的アルゴリズムに基づいて周期が異なっている複数の高周波パルス列を生成する制御信号を出力すること、を特徴とする請求項１から６のいずれか１項に記載の装置。
【請求項８】
上記制御器（４）は、高周波パルス列を生成する制御信号を出力し、該高周波パルス列内の少なくとも２つの単位パルスの波形および／または振幅および／または持続時間が異なっており、詳細には、上記制御器（４）は、高周波パルス列を生成する制御信号を出力し、該高周波パルス列内の少なくとも２つの単位パルスの波形および／または振幅および／または持続時間が、決定的アルゴリズムおよび／または確率的アルゴリズムおよび／または決定的確率的アルゴリズムに基づいて異なっていること、または、
上記制御器（４）は、２以上１００以下の高周波パルス列を含む高周波パルス列の低周波連続を生成する制御信号を出力するとともに、詳細には、疾患における異常な周波数またはその小さい整数倍の周波数と略一致する高周波パルス列の低周波連続を生成し、かつ／あるいは、低周波連続内で高周波パルスのパターンが決定的アルゴリズムおよび／または確率的アルゴリズムおよび／または決定的確率的アルゴリズムに基づいて異なっている高周波パルス列の低周波連続を生成する制御信号を出力し、詳細には、上記制御器（４）が複数の高周波パルス列を生成する制御信号を出力し、該複数の高周波パルス列のうち、少なくとも２つの高周波パルス列が異なっていること、を特徴とする請求項１から７のいずれか１項に記載の装置。
【請求項９】
上記制御器（４）は、複数の高周波パルス列を生成する制御信号を出力し、全ての高周波パルス列が同数の単位パルスを含んでいること、または、
上記制御器（４）は、複数の高周波パルス列を生成する制御信号を出力し、該複数の高周波パルス列のうち、少なくとも２つの高周波パルス列が異なる数の単位パルスを含んでいること、を特徴とする請求項１から８のいずれか１項に記載の装置。
【請求項１０】
上記制御器（４）は、周波数の等しい複数の高周波パルス列を生成する制御信号を出力すること、または、
上記制御器（４）は、複数の高周波パルス列を生成する制御信号を出力し、該複数の高周波パルス列のうち、少なくとも２つの高周波パルス列の周波数が異なっていること、を特徴とする請求項１から９のいずれか１項に記載の装置。
【請求項１１】
上記制御器（４）は、振幅の等しい複数の単位パルスを含む高周波パルス列を生成する制御信号を出力すること、または、
上記制御器（４）は、複数の高周波パルス列を生成する制御信号を出力し、該複数の高周波パルス列のうち、少なくとも２つの高周波パルス列の間で、１つ以上の単位パルスの振幅が異なっていること、を特徴とする請求項１から１０のいずれか１項に記載の装置。
【請求項１２】
上記制御器（４）は、持続時間の等しい複数の単位パルスを含む高周波パルス列を生成する制御信号を出力すること、または、
上記制御器（４）は、複数の高周波パルス列を生成する制御信号を出力し、該複数の高周波パルス列のうち、少なくとも２つの高周波パルス列の間で、１つ以上の単位パルスの持続時間が異なっていること、を特徴とする請求項１から１１のいずれか１項に記載の装置。
【請求項１３】
上記制御器（４）は、波形が同一の複数の単位パルスを含む高周波パルス列を生成する制御信号を出力すること、または、
上記制御器（４）は、複数の高周波パルス列を生成する制御信号を出力し、該複数の高周波パルス列のうち、少なくとも２つの高周波パルス列の間で、１つ以上の単位パルスの波形が異なっていること、を特徴とする請求項１から１２のいずれか１項に記載の装置。
【請求項１４】
上記制御器（４）は、連続する単位パルス間の期間が等しい高周波パルス列を生成する制御信号を出力すること、または、
上記制御器（４）は、高周波パルス列を生成する制御信号を出力し、該高周波パルス列において、連続する単位パルス間の期間が少なくとも２つの連続する単位パルス間で異なって連続していることを特徴とする請求項１から１３のいずれか１項に記載の装置。
【請求項１５】
上記制御器（４）は、厳密に周期的な高周波パルス列の連続を生成する制御信号を出力すること、および／または、
上記制御器（４）は、高周波パルス列の低周波シーケンスを生成する制御信号を出力し、該低周波シーケンスにおいて、連続する高周波パルス列間の時間間隔が、決定的様式および／または確率的様式および／または決定的確率的様式に基づいて異なって連続していること、および／または、
上記制御器（４）は、高周波パルス列の低周波シーケンスを生成する制御信号を出力し、該低周波シーケンスにおいて、連続する高周波パルス列間の時間間隔が決定的様式および／または確率的様式および／または決定的確率的様式に基づいて異なっていること、および／または、
上記制御器（４）は、高周波パルス列の低周波シーケンスを生成する制御信号を出力し、該低周波シーケンスにおいて、連続する高周波パルス列間の時間間隔、および／または個々の高周波パルス列のパターンが、決定的様式および／または確率的様式および／または決定的確率的様式に基づいて異なっていること、および／または、
上記制御器（４）は、上記電極（２）の異なる接点１４間、および／または複数の上記電極（２）間、および／または１つ以上の接点１４とその金属対応物との間に電位差が存在するように構成されていること、および／または、
上記制御器（４）は、Ｎ個の接点１４を介してそれぞれ印加される連続的な上記高周波パルス列を上記異常な活動の周期の略１／Ｎ倍の時間ずつずらしながら、上記高周波パルス列を投与するように構成されていること、を特徴とする請求項１から１４のいずれか１項に記載の装置。
【請求項１６】
上記制御器（４）は、刺激投与と生体の刺激応答との間の潜時を求めるように構成されるとともに、
刺激応答の平均値を利用して、あるいは、刺激された神経リズムの最大位相リセットの瞬間を利用して上記の潜時を求めること、および／または、
上記潜時と略等しい時間だけ早く各高周波パルス列を印加する制御信号を出力すること、を特徴とする請求項１から１５のいずれか１項に記載の装置。
【請求項１７】
上記制御器（４）は、各接点１４を介して印加される上記高周波パルス列の順序を設定するように構成されていること、および／または、
上記制御器（４）は、それぞれの刺激投与をしている間に、各接点１４を介して上記高周波パルス列を常に同一の順序で投与するように構成されていること、および／または、
上記制御器（４）は、２回以上の刺激投与をしている間に、各接点１４を介して上記高周波パルス列を異なる順序で投与するように構成されているとともに、詳細には、連続的な刺激投与をしている間に、各接点１４を介して上記高周波パルス列が投与される順序を、決定的様式および／または確率的様式および／または決定的確率的様式で異ならせるように構成されていること、を特徴とする請求項１から１６のいずれか１項に記載の装置。
【請求項１８】
連続するシーケンスを厳密な周期で印加する制御器（４）を備えていること、または、
連続するシーケンス間の時間間隔を決定的様式および／または確率的様式および／または決定的確率的複合様式で異ならせる制御器（４）を備えていること、を特徴とする請求項１から１７のいずれか１項に記載の装置。
【請求項１９】
同一のシーケンスの連続を印加する制御器（４）を備えていること、または、
シーケンスの連続内において、決定的様式および／または確率的様式および／または決定的確率的複合様式でシーケンスを異ならせる制御器（４）を備えていること、を特徴とする請求項１から１８のいずれか１項に記載の装置。
【請求項２０】
シーケンス内において、非同期化されるべきリズムの周期の略１／ｎ倍の時間ずつ遅延させながら、総計ｎ個のうちのｍ≧２個（ただしｍ≦ｎ）のみの接点１４を駆動する制御器（４）を備えていること、および／または、
シーケンスの順序内の個々のシーケンスの構成を決定的様式および／または確率的様式および／または決定的確率的複合様式で異ならせる制御器（４）を備えていること、および／または、
シーケンスの順序内において、シーケンスの構成、および／または連続するシーケンス間の時間間隔、および／または個々のシーケンスにおいて用いられる高周波パルス列のパターンを、決定的様式および／または確率的様式および／または決定的確率的複合様式で異ならせる制御器（４）を備えていること、および／または、
１つ以上の刺激電極もしくは刺激接点および／または追加接点１４および／または他のセンサ（３）を経由する測定信号を求め、求めた測定信号をデマンド制御刺激に利用する制御器（４）を備え、詳細には、上記休止期の持続時間をデマンド制御様式で異ならせ、かつ／あるいは、シーケンスの連続内において、個々のシーケンスの構成、および／または個々のシーケンスにおいて用いられる高周波パルス列のパターンをデマンド制御様式で異ならせる制御器（４）を備えていること、を特徴とする請求項１から１９のいずれか１項に記載の装置。
【請求項２１】
高周波パルス列の低周波シーケンスのための制御パターンを生成し、詳細には、請求項３から２０のいずれか１項に記載の制御信号を生成することを特徴とする制御器。